(57)【特許請求の範囲】
【請求項１】
下部が地中に埋設され、又は固定具によって固定され、上方に向けて立設された支持柱により立設支持される、草花を植栽してなる植木鉢を収納し、又は草花を直接に植栽する花飾用部材において、
上端部に植木鉢収納用の開口を有し、下端部に前記支持柱が貫通する貫通口を有する壷状の花飾部本体を備え、
前記貫通口を介して前記支持柱を花飾部本体内部に挿入した状態で、支持柱の周囲に転倒防止材を充填又は装着することで花飾部本体を立設支持することを特徴とする花飾用部材。
【請求項２】
前記転倒防止材は、
前記支持柱を貫通させる貫通穴を上下方向に有し、前記花飾部本体内部で支持柱に嵌め込まれ、該花飾部本体の傾きを所定範囲内に規制するブロック体と、
前記ブロック体と前記花飾部本体又は前記支持柱との隙間に充填される緩衝材とを有して成ることを特徴とする請求項１に記載の花飾用部材。
【請求項３】
前記転倒防止材に代えて、前記花飾部本体は、前記貫通口から上方に向けて一体に立設された中空状の筒部を有し、この筒部に前記支持柱を挿入した状態で花飾部本体を立設支持することを特徴とする請求項１記載の花飾用部材。
【請求項４】
前記花飾部本体と地表面との間に、該花飾部本体の高さ位置を調整するための高さ調整具を介在させたことを特徴とする請求項１乃至請求項３のいずれかに記載の花飾用部材。
【請求項５】
前記花飾部本体の下端部に一体的に取り付けられる台座をさらに有し、
前記台座は、花飾部本体の貫通口と連通し、前記支持柱が挿通する中空状の空間を有していることを特徴とする請求項１乃至請求項３のいずれかに記載の花飾用部材。
【発明の詳細な説明】
【０００１】
【発明の属する技術分野】
本発明は、草花を植栽してなる植木鉢を収納する花飾用部材に関するものである。
【０００２】
【従来の技術】
従来から、植木鉢を収納する花飾用部材として、様々な形態の部材が知られている。一例を挙げれば、壷状の花飾部本体を有し、その本体上端部に設けられた開口に植木鉢を収納するように構成された花飾用部材がある。この種の花飾用部材は、壷状に形成された花飾部本体に様々なデザイン処理を施すことにより、植木鉢を装飾すると共に、植木鉢を所望の高さで支持する。花飾用部材の設置は、花飾部本体の下部が地中に埋め込まれることにより成されている。
【０００３】
また、植木鉢を収納する円筒部材と、この円筒部材が挿入される丸穴が形成された複数層に積重ねられた台板とによって構成される植木鉢台が知られている（例えば、特許文献１参照）。さらに、鉢受け台が取付けられた支柱を立設支持する台座の下端部に鋼板を嵌着し、台の低重心化を図って安定性を高めた植木鉢支持台も知られている（例えば、特許文献２参照）。
【０００４】
【特許文献１】
特開平１１−２６６７０６号公報
【特許文献２】
実開昭６１−１０８１６４号公報
【０００５】
【発明が解決しようとする課題】
しかしながら、上記花飾用部材にあっては、花飾部本体の下部が地中に埋設されているものの、花飾部本体の上端部に重量物である植木鉢を収納する構成であるので、花飾用部材の重心が高くなり、花飾部本体に外力が加えられたときは、花飾用部材が横揺れ転倒する虞れがある。また、花飾部本体の下部が地中に埋設されているので、デザイン処理が施された花飾部本体の全体を見せることができず、壷状の優れた美観を活かしているとは言えない。また、特許文献１に示される植木鉢台は、地面等に対して固定されていないので、転倒や位置ずれを起こす虞れがある。さらに、特許文献２に示される植木鉢支持台は、植木鉢を装飾する機能を備えておらず、優れた美観を有しているとは言えない。
【０００６】
本発明は、上述した問題点を解決するためになされたものであり、転倒の虞れがなく、美観に優れた花飾用部材を提供することを目的とする。
【０００７】
【課題を解決するための手段】
上記目的を達成するために請求項１の発明は、下部が地中に埋設され、又は固定具によって固定され、上方に向けて立設された支持柱により立設支持される、草花を植栽してなる植木鉢を収納し、又は草花を直接に植栽する花飾用部材において、上端部に植木鉢収納用の開口を有し、下端部に前記支持柱が貫通する貫通口を有する壷状の花飾部本体を備え、前記貫通口を介して前記支持柱を花飾部本体内部に挿入した状態で、支持柱の周囲に転倒防止材を充填又は装着することで花飾部本体を立設支持するものである。
【０００８】
この構成においては、花飾部本体は、支持柱及び転倒防止材によって立設支持され、花飾用部材の横揺れ転倒や位置ずれが防止される。また、転倒防止材が花飾部本体内部に充填又は装着されることにより花飾部本体の低重心化を図ることができ、花飾部本体の安定性を高めることができる。さらに、花飾部本体は、壷状に形成され、その形状、模様、色彩等において、様々なデザイン処理を施すことができる。
【０００９】
請求項２の発明は、請求項１に記載の花飾用部材において、転倒防止材は、前記支持柱を貫通させる貫通穴を上下方向に有し、前記花飾部本体内部で支持柱に嵌め込まれ、該花飾部本体の傾きを所定範囲内に規制するブロック体と、前記ブロック体と前記花飾部本体又は前記支持柱との隙間に充填される緩衝材とを有して成るものである。
【００１０】
この構成においては、花飾部本体に外力が加えられたとき、緩衝材が該外力を吸収する。また、緩衝材が吸収できない大きな外力が加えられたときであっても、ブロック体によって花飾部本体の傾きを規制することができ、花飾用部材の横揺れ転倒を防止することができる。
【００１１】
請求項３の発明は、請求項１に記載の花飾用部材において、前記転倒防止材に代えて、前記花飾部本体は、前記貫通口から上方に向けて一体に立設された中空状の筒部を有し、この筒部に前記支持柱を挿入した状態で花飾部本体を立設支持するものである。
【００１２】
この構成においては、支持柱は花飾部本体の貫通口から筒部に挿入される。花飾部本体は支持柱及び筒部によって立設支持され、花飾用部材の横揺れ転倒や位置ずれが防止される。花飾部本体を立設支持させる際、必ずしも転倒防止材等を充填又は装着する必要はないので、容易に花飾部本体を立設支持させることができる。
【００１３】
請求項４の発明は、請求項１乃至請求項３のいずれかに記載の花飾用部材において、花飾部本体と地表面との間に、該花飾部本体の高さ位置を調整するための高さ調整具を介在させたものである。
【００１４】
この構成においては、高さ調整具によって花飾部本体を所望の高さ位置に調整することができる。
【００１５】
請求項５の発明は、請求項１乃至請求項３のいずれかに記載の花飾用部材において、前記花飾部本体の下端部に一体的に取り付けられる台座をさらに有し、前記台座は、花飾部本体の貫通口と連通し、前記支持柱が挿通する中空状の空間を有するものである。
【００１６】
この構成においては、花飾部本体に台座を取り付けることにより、花飾部本体と台座が、支持柱等によって一体的に立設支持される。
【００１７】
【発明の実施の形態】
（実施形態１）
本発明の一実施形態に係る花飾用部材について、図面を参照して説明する。図１は、草花を植栽してなる植木鉢を収納する花飾用部材を示している。花飾用部材１は、地面ＧＬから上方に向けて立設される支持柱２と、植木鉢８を収納する花飾部本体３と、支持柱２の周囲に充填され、花飾部本体３の横揺れ転倒を防止する充填材（転倒防止材）４とを備えている。
【００１８】
支持柱２は、例えば、鉄パイプ等によって成り、地面ＧＬに立設される。支持柱２の下部２ａは、コンクリート等により形成された基礎部材５と結合され、小石６が敷かれた地中Ｇに埋設され、これにより、支持柱２が地面ＧＬから上方に向けて立設される。
【００１９】
花飾部本体３は、壷状に形成され、その形状、模様、色彩等において様々なデザイン処理が施され、上端部に設けられた開口３ａに収納された植木鉢８を装飾する。花飾部本体３の下端部には、支持柱２を貫通させるための貫通口３ｂが形成されている。従って、図２に示されるように、貫通口３ｂを支持柱２に位置合わせして花飾部本体３を矢印方向に挿入することにより、花飾部本体３は支持柱２に装着される。
【００２０】
花飾部本体３の内部には、図３に示されるように、石（砂利）、砂又はモルタル等から成る充填材４が支持柱２の周囲に充填される。これにより、花飾部本体３は支持柱２及び充填材４によって立設支持され、花飾部本体３の横揺れ転倒が防止される。
【００２１】
充填材４の上面４ａには、植木鉢８に供給する水Ｗを貯めておく水受皿７が載置されている。植木鉢８は、花飾部本体３上端部の開口３ａに収納され、必要に応じて差し換え可能とされる。植木鉢８には、培養土Ｃが入れられ、その上部に草花Ｆが植栽される。また、培養土Ｃの土中から水受皿７にかけて吸水布９が垂下されている。吸水布９は、不織布等の吸水性素材から成り、毛細管現象により、水受皿７から水Ｗを吸い上げて培養土Ｃに給水する。なお、植木鉢８と水受皿７は別部材とする必要はなく、植木鉢８の底面から所定の高さに仕切り板を設け、仕切り板の下側の空間を水受皿７として使用してもよい。
【００２２】
なお、水受皿７には、地中Ｇより支持柱２に沿って花飾部本体３内に導かれた潅水チューブＴの先端部が装着され、潅水チューブＴによって水が水受皿７に潅水される。なお、潅水チューブＴは、支持柱２の側面に予め形成された横孔より支持柱２内部を通して花飾部本体３に導かれるように構成してもよい。また、潅水チューブＴを、植木鉢８の上部まで延長して、植木鉢８に直接潅水するように構成してもよい。また、植木鉢８に草花を植栽したものに限られず、花飾部本体３に直接草花を植栽してもよい。
【００２３】
なお、花飾用部材１は、図４（ａ）に示されるように、充填材を支持柱の上端より若干低い位置まで充填し、その上に、図４（ｂ）に示されるストッパ４１を装着するように構成しても構わない。ストッパ４１は、支持柱が貫通する貫通穴４１ａを有し、その幅寸法ＷＳは、花飾部本体３の内径に対して若干（例えば、２ｃｍ程度）小さいものとされる。ストッパ４１の周縁４１ｂが内壁３ｃに当接することにより、花飾部本体３の傾きが制限され、横揺れ転倒が防止される。
【００２４】
上記のように構成された花飾用部材１によれば、支持柱２が地中Ｇに埋設され、花飾部本体３が支持柱２及び充填材４によって立設支持されるので、花飾用部材１の転倒や位置ずれを防止することができる。また、充填材４が花飾部本体３内部に充填されることにより花飾部本体３の低重心化を図ることができ、花飾部本体３の安定性を高めることができる。さらに、花飾部本体３は、壷状に形成されているので、それ自体で優れた美的外観を呈する。ここで、潅水チューブＴは、支持柱２と共に花飾部本体３内に配設されているので、花飾用部材１の優れた外観が損なわれず美的である。
【００２５】
（実施形態２）
本発明の別の実施形態に係る花飾用部材について、図５及び図６を参照して説明する。花飾用部材１０は、花飾部本体３の傾きを規制するブロック体１１と、ブロック体１１の周囲に充填される緩衝材１２とによって、花飾部本体３を立設支持する点で花飾用部材１と相違する（図５においては、水受皿７、植木鉢８等の図示を省略している）。
【００２６】
ブロック体１１は、例えば、コンクリート又はモルタル等によって成形され、支持柱２を貫通させる貫通穴１１ａを上下方向に有し、支持柱２に装着される。ここで、貫通穴１１ａの穴径Ｄは、支持柱の外径より若干大きいものとされ、ブロック体１１が支持柱２に嵌め込まれたとき、支持柱２とブロック体１１の間には隙間が形成される。また、ブロック体１１の幅寸法ＷＢは、花飾部本体３の内径に対して若干（例えば、２ｃｍ程度）小さいものとされ、これにより、ブロック体１１と花飾部本体３の間にも隙間が形成される。
【００２７】
緩衝材１２は、砂、発泡樹脂等のクッション性を有する素材から成り、上述した支持柱２とブロック体１１の間、又はブロック体１１と花飾部本体３の間に形成された隙間に充填されている。花飾部本体３は支持柱２、ブロック体１１及び緩衝材１２によって立設支持され、花飾部本体３の横揺れ転倒及び破損が防止される。すなわち、花飾部本体３に外力が加えられ花飾部本体３が僅かに傾斜したとき、緩衝材１２が花飾部本体３に加えられた外力を吸収し、花飾部本体３の破損を防止する。このとき、ブロック体１１の周縁部１１ｂは花飾部本体３の内壁３ｃに当接することなく、花飾部本体３の若干の傾斜を許容する。そして、花飾部本体３に大きな外力が加えられ、花飾部本体３の傾斜が大きくなると、周縁部１１ｂが内壁３ｃに当接し、花飾部本体３の傾きが制限される。
【００２８】
上記のように構成された花飾用部材１０によれば、緩衝材１２が花飾部本体３に加えられた外力を吸収し、ブロック体１１が花飾部本体３の傾きを規制するので、花飾部本体３に大きな外力が加えられた場合であっても、花飾部本体３の破損及び横揺れ転倒を防止することができる。
【００２９】
（実施形態３）
本発明のさらに別の実施形態に係る花飾用部材について、図７を参照して説明する。花飾用部材２０は、花飾部本体３の高さ位置を周辺の植物Ｐ等の高さに合わせて調整するための高さ調整具２１を備えた点で、花飾用部材１，１０とは相違する（図７においては、水受皿７、植木鉢８等の図示を省略している）。高さ調整具２１は、花飾部本体３と地面ＧＬとの間に介在される。花飾用部材２０によれば、高さ調整具２１の枚数を増減することによって、花飾部本体３の高さ調整を容易に行うことができる。
【００３０】
（実施形態４）
本発明のさらに別の実施形態に係る花飾用部材について、図９、図１０及び図１１を参照して説明する。花飾部本体１０３は、該本体と一体に内方中心部に形成された中空状の筒部１４０を有しており、筒部１４０に支持柱２を挿入させることにより立設支持される。この実施形態においては、前述の実施形態で用いたような転倒防止材４等を必ずしも必要としない。
【００３１】
花飾部本体１０３は、例えば、ＦＲＰ（fiber reinforced plastics）を用いて、図１０（ａ）に示されるような開口３ａ、貫通口３ｂ及び筒部１４０を有する壷状に成形される。また、図１０（ｂ）に示されるように、ＦＲＰを開口３ａ及び貫通口３ｂを有する壷状に成形し、これに筒部１４０を固着することにより形成してもよい。
【００３２】
この実施形態においては、筒部１４０の補強のためにリブ状の補強材１４１が設けられている。補強材１４１は、筒部１４０と花飾部本体１０３の内壁３ｃとの間に架け渡すように放射方向に固着された複数のリブ状の板により構成されている。このような補強材１４１を設けることにより、筒部１４０の強度を高めることができ、花飾用部材１００を設置した状態で外力が加わっても花飾用部材１００が倒れ難いものとなる。
【００３３】
さらに、この実施形態においては、花飾部本体１０３の下端部３ｄに、該下端部３ｄを補強し、該本体の重心を下げ安定姿勢を取り得るためにコンクリート等の充填材１４２を流し込み、その上からＦＲＰ１４３を塗り固めている。充填材１４２及びＦＲＰ１４３は、花飾用部材１００の使用状況に応じて省略しても構わない。
【００３４】
花飾部本体１０３は、図１１に示されるように、支持柱２を花飾部本体１０３の貫通口３ｂから筒部１４０に挿入した状態で立設される。花飾部本体１０３は支持柱２及び筒部１４０により立設支持されるため、花飾用部材１００の横揺れ転倒や位置ずれが防止される。また、設置する際、転倒防止材４等を充填又は装着する必要はないので、少ない手順で容易に花飾用部材１００を設置することができる。
【００３５】
（実施形態５）
本発明のさらに別の実施形態に係る花飾用部材について、図１２を参照して説明する。花飾用部材２００の花飾部本体１０３は、開口３ａ、貫通口３ｂ及び筒部１４０を有する点では実施形態４と同様であるが、補強材１４１等を有しない点で実施形態４と異なる。
【００３６】
花飾部本体１０３は、支持柱２を筒部１４０に挿入した状態で、支持柱２及び筒部１４０により立設支持される。このため、花飾用部材２００を設置する際、転倒防止材４等は必ずしも用いる必要はないが、本体１０３の内方で筒部１４０の外周空間に充填材４を充填することにより、筒部１４０を補強することができると共に、花飾部本体１０３の重心を低くすることができ、花飾部本体１０３の安定性を高めることができる。
【００３７】
支持柱２の外径及び筒部１４０の内径は、支持柱２を筒部１４０に挿入し易いように適宜の寸法に作成されればよいが、支持柱２を筒部１４０に挿入した際、支持柱２と筒部１４０との間に隙間が生じるときは、この隙間に充填材４ｂを充填すればよい。これにより、花飾部本体１０３が支持柱２に安定して支持される。
【００３８】
（実施形態６）
本発明のさらに別の実施形態に係る花飾用部材について、図１３を参照して説明する。花飾用部材３００は、他の実施形態と比較して、花飾部本体３の下端部に台座３０１が一体的に取り付けられている点で異なる。台座３０１は、上面に花飾部本体の貫通口３ｂと連通する連通口３０１ａを有しており、胴体部３０１ｂに支持柱２が挿通する中空状の空間を有している。支持柱２は、下部２ａが地中Ｇに埋設されると共に、地上部２ｂがコンクリート等によって形成された支持部材３０２によって支持されている。花飾用部材３００は、支持柱２に貫通穴３０２ａを介して支持部材３０２を装着し、連通口３０１a及び貫通口３ｂを介して花飾部本体３に支持柱２を挿入した状態で立設される。花飾用部材３００は、花飾部本体３に台座３０１が取り付けられていることにより、花飾部本体３と台座３０１が支持柱２等によって一体的に立設支持される。このため、花飾用部材３のみならず台座３０１の横揺れ転倒や位置ずれを防止することができる。
【００３９】
なお、本発明は上記実施形態の構成に限られることなく種々の変形が可能であり、例えば、支持柱２は地中に埋設される形態に限られることなく、図８に示されるような、支持柱２を立設支持する支持板３１と、支持板３１を地面に固定する杭３２とによって構成される固定具３０を用いて、地面ＧＬに固定される形態であってもよい。さらにこの場合、支持板３１が固定される土台は、地面ＧＬに限られることなく、別途設置された陳列台等であってもよい。また、花飾用部材１における転倒防止材は、充填材４に限られることなく、予め、合成樹脂やコンクリート等により花飾部本体３の内面に沿う形状に成形され、支持柱２を貫通させる貫通穴が設けられた部材を適用してもよい。また、花飾部本体１０３の材質及び製造方法は上記実施形態には限られない。
【００４０】
【発明の効果】
以上のように請求項１の発明によれば、支持柱が地中に埋設され、支持柱及び転倒防止材によって花飾部本体が立設支持されるので、花飾用部材の横揺れ転倒や位置ずれが防止される。また、転倒防止材を花飾部本体に充電又は装着することによって花飾部本体の低重心化を図ることができ、花飾部本体の安定性を高めることができる。さらに花飾部本体は、壷状に形成され、その全体が地上に露出しているので、花飾用部材の美観が向上する。
【００４１】
請求項２の発明によれば、緩衝材が花飾部本体に加えられた外力を吸収し、ブロック体が花飾部本体の傾きを規制するので、花飾部本体に大きな外力が加えられた場合であっても花飾部本体の破損及び横揺れ転倒を防止することができる。
【００４２】
請求項３の発明によれば、花飾用部材を設置する際、花飾部本体は支持柱及び筒部によって立設支持され、必ずしも転倒防止材等を充填又は装着する必要はないので、容易に花飾部本体を支持柱に立設支持させることができる。
【００４３】
請求項４の発明によれば、花飾部本体と地表面との間に高さ調整具を介在させているので、周囲の植物等の高さに合わせて花飾部本体の高さ調整を容易に行うことができる。
【００４４】
請求項５の発明によれば、花飾部本体に台座を取り付けることにより、花飾部本体と台座は支持柱等によって一体的に立設支持され、花飾用部材のみならず台座の横揺れ転倒や位置ずれが防止される。
【図面の簡単な説明】
【図１】  本発明の一実施形態に係る花飾用部材の構造を示す断面図。
【図２】  同部材の支持柱に花飾部本体が装着される様子を示した図。
【図３】  充填材が充填された花飾用部材を示した断面図。
【図４】  （ａ）は充填材の上部にストッパを装着した同部材を示した断面図であり、（ｂ）は同ストッパの斜視図。
【図５】  本発明の別の実施形態に係る花飾用部材の構造を示す断面図。
【図６】  同部材に用いられるブロック体を示した斜視図。
【図７】  本発明のさらに別の実施形態に係る花飾用部材の構造を示す断面図。
【図８】  同支持柱を固定する固定具を示した図。
【図９】  （ａ）、（ｂ）は本発明のさらに別の実施形態に係る花飾用部材の花飾部本体の構造を示す平面図及び断面図。
【図１０】  （ａ）、（ｂ）は、それぞれ同花飾部本体の製造方法を説明するための図。
【図１１】  同花飾用部材の構造を示す断面図。
【図１２】  本発明のさらに別の実施形態に係る花飾用部材の構造を示す断面図。
【図１３】  本発明のさらに別の実施形態に係る花飾用部材の構造を示す断面図。
【符号の説明】
１，１００，２００，３００    花飾用部材
２    支持柱
３，１０３    花飾部本体
３ａ    開口
３ｂ    貫通口
４    充填材（転倒防止材）
８    植木鉢
１１    ブロック体（転倒防止材）
１２    緩衝材（転倒防止材）
１２ａ    貫通穴
２１    高さ調整具
３０    固定具
１４０    筒部
３０１    台座
Ｆ    草花
Ｇ    地中
ＧＬ    地面
【図１】
0003668230.tif 000002
【図２】
0003668230.tif 000003
【図３】
0003668230.tif 000004
【図４】
0003668230.tif 000005
【図５】
0003668230.tif 000006
【図６】
0003668230.tif 000007
【図７】
0003668230.tif 000008
【図８】
0003668230.tif 000009
【図９】
0003668230.tif 000010
【図１０】
0003668230.tif 000011
【図１１】
0003668230.tif 000012
【図１２】
0003668230.tif 000013
【図１３】
0003668230.tif 000014